(57)【要約】【課題】  駆動ユニットとテストパッドを実装することができる非矩形延伸領域を有する表示パネルを提供する。【解決手段】  表示パネルは、第１の基板、第２の基板、表示層、および駆動ユニットを含む。第１の基板は、表示領域、延伸領域、および表示領域と延伸領域との間に配置されたエッジ領域を有する。表示層は、第１の基板と第２の基板との間に配置される。エッジ領域と延伸領域の境界線の長さは、エッジ領域から離れる延伸領域の下縁部の長さより長い。【選択図】  図３
2016110090.tif 000002
【特許請求の範囲】
【請求項１】
表示領域、延伸領域、および前記表示領域と前記延伸領域との間に配置されたエッジ領域を有する第１の基板と、
前記表示領域と、前記第１の基板の前記エッジ領域とをカバーし、かつ、前記延伸領域を露出する第２の基板と、
前記第１の基板と前記第２の基板との間に配置された表示層と、
を含み、
境界線が、前記延伸領域と前記エッジ領域との間に画定され、前記延伸領域は、下縁部と、前記境界線と前記下縁部との間に配置された少なくとも２つの側縁部とを有し、前記境界線の長さは、前記下縁部の長さより長い、
表示パネル。
【請求項２】
前記側縁部のうちの１つは、曲線を含む、請求項１に記載の表示パネル。
【請求項３】
主軸が、前記境界線の中心と前記下縁部の中心を通過し、前記曲線は、前記主軸に向けて曲げられる、請求項２に記載の表示パネル。
【請求項４】
前記側縁部のうちの前記１つは、直線を更に含み、前記直線は、前記境界線と前記下縁部との間に配置され、前記曲線は、前記直線を前記境界線に接続する、請求項２に記載の表示パネル。
【請求項５】
主軸が、前記境界線の中心と前記下縁部の中心を通過し、前記曲線は、前記主軸から離れて曲げられる、請求項２に記載の表示パネル。
【請求項６】
前記表示領域は、略円形を有し、前記表示領域の中心と、前記境界線と前記曲線の交差点との間の距離は、前記曲線の曲率半径より短い、請求項５に記載の表示パネル。
【請求項７】
前記側縁部のうちの１つは、直線である、請求項１に記載の表示パネル。
【請求項８】
主軸が、前記境界線の中心と前記下縁部の中心を通過し、前記側縁部のうちの１つと前記境界線の交差点と、前記主軸との間の距離は、前記側縁部のうちの前記１つと前記下縁部のもう１つの交差点と、前記主軸との間の距離より大きい、請求項１に記載の表示パネル。
【請求項９】
前記表示領域は、略円形を有する、請求項１に記載の表示パネル。
【請求項１０】
前記延伸領域に接続する駆動ユニットを更に含む、請求項１に記載の表示パネル。
【請求項１１】
収容空間を画定するハウジングと、
駆動回路基板アセンブリと、
前記収容空間に配置された表示パネルと、
を含み、
前記表示パネルは、
表示領域、延伸領域、および前記表示領域と前記延伸領域との間に配置されたエッジ領域を有する第１の基板と、
前記表示領域と前記第１の基板の前記エッジ領域をカバーし、前記延伸領域を露出する第２の基板と、
前記第１の基板と前記第２の基板との間に配置された表示層と、を含み、
境界線が、前記延伸領域と前記エッジ領域との間に画定され、前記延伸領域は、下縁部と、前記境界線と前記下縁部との間に配置された少なくとも２つの側縁部とを有し、前記境界線の長さは、前記下縁部の長さより長く、前記ハウジングの一部は、前記延伸領域の形状と一致する形状を有する、
電子表示装置。
【請求項１２】
前記表示パネルは、前記延伸領域および前記駆動回路基板アセンブリに接続される駆動ユニットを更に含む、請求項１１に記載の電子表示装置。
【発明の詳細な説明】
【技術分野】
【０００１】
本出願は、２０１４年１２月５日に出願された台湾特許出願番号第１０３１４２３０３号についての優先権を主張するものであり、これらの全ては引用によって本出願に援用される。
【０００２】
本発明は、電子装置およびその構成要素に関し、特に、電子表示モジュールおよびその表示パネルに関するものである。
【背景技術】
【０００３】
人間が電気信号に含まれる情報をみることができるように、電子表示モジュールは、電気信号を可視画像に変換することができる電気光学装置である。近年、液晶ディスプレイ、および有機エレクトロルミネッセンス（ＥＬ）ディスプレイは、ディスプレイの主流となっている。
【０００４】
その薄型、低消費電力、および低放射により、これらの画像表示装置は、ディスクトップコンピュータ、ノートブックコンピュータ、携帯情報端末（ＰＤＡ）、および携帯電話などの携帯型電子機器に広く用いられており、従来のＴＶおよび陰極線管（ＣＲＴ）のモニターに取って代わっている。
【０００５】
携帯型電子製品の各種要求を満足させるために、メーカーは、種々の構成要素を製品の限られた内部空間内に実装するため、製品の外観を考慮しなければならない。しかしながら、現在、そのような製品は、あらゆる点において、これらの要求を十分に満足させることができるものではない。
【発明の概要】
【０００６】
本開示の目的の１つは、駆動ユニットとテストパッドを実装することができる非矩形延伸領域を有する表示パネルを提供することである。
【０００７】
本開示のいくつかの他の実施形態に基づいて、表示パネルは、第１の基板、第２の基板、および表示層を含む。第１の基板は、表示領域、延伸領域、および表示領域と延伸領域との間に配置されたエッジ領域を有する。第２の基板は、表示領域と第１の基板のエッジ領域をカバーし、延伸領域を露出する。表示層は、第１の基板と第２の基板との間に配置される。境界線は、延伸領域とエッジ領域との間に画定される。延伸領域は、下縁部と、境界線と下縁部との間に配置された少なくとも２つの側縁部とを有する。境界線の長さは、下縁部の長さより長い。
【０００８】
いくつかの実施形態では、側縁部のうちの少なくとも１つは、曲線を含む。主軸は、境界線の中心と下縁部の中心を通過し、曲線は、主軸に向けて曲げられる。いくつかの実施形態では、側縁部は、直線を更に含み、直線は、境界線と下縁部との間に配置され、曲線は、直線を境界線に接続する。
【０００９】
いくつかの実施形態では、側縁部のうちの少なくとも１つは、曲線を含む。主軸は、境界線の中心と下縁部の中心を通過し、曲線は、主軸から離れて曲げられる。いくつかの実施形態では、表示領域は、略円形を有し、表示領域の中心と、境界線と曲線の交差点との間の距離は、曲線の曲率半径より短い。
【００１０】
いくつかの実施形態では、側縁部のうちの少なくとも１つは、直線である。
【００１１】
いくつかの実施形態では、主軸は、境界線の中心と下縁部の中心を通過し、側縁部のうちの１つと境界線の交差点と、主軸との間の距離は、側縁部のうちの１つと下縁部のもう１つの交差点と、主軸との間の距離より大きい。
【００１２】
いくつかの実施形態では、表示領域は略円形を有する。
【００１３】
いくつかの実施形態では、表示パネルは、延伸領域に接続された駆動ユニットを更に含む。
【００１４】
実施形態のもう１つの目的は、電子表示装置を提供することである。電子表示装置は、ハウジング、駆動回路基板アセンブリ、および上述の実施形態の任意の１つの表示パネルを含む。ハウジングは、収容空間を画定する。表示パネルは、収容空間に配置される。表示パネルの駆動ユニットは、延伸領域または駆動回路基板アセンブリに接続される。また、延伸領域に対応するハウジングの一部は、延伸領域の形状と一致する形状を有する。
【図面の簡単な説明】
【００１５】
実施形態及びその利点をより完全に理解するために、添付の図面とともに以下の詳細な説明を参照する。
【図１】本開示のいくつかの実施形態に係る、表示パネルの概略図を示している。
【図２Ａ】図１のラインＡ−Ａ’に沿った部分断面図を示している。
【図２Ｂ】図１のラインＡ−Ａ’に沿った部分断面図を示している。
【図３】本開示のいくつかの実施形態に係る、電子表示装置の概略図を示している。
【図４】本開示のいくつかの実施形態に係る、表示パネルの概略図を示している。
【図５】本開示のいくつかの実施形態に係る、表示パネルの概略図を示している。
【図６】本開示のいくつかの実施形態に係る、表示パネルの概略図を示している。
【図７Ａ】本開示のいくつかの実施形態に係る、表示パネルの概略図を示している。
【図７Ｂ】図７Ａにおける領域Ｅの拡大図を示している。
【図８】本開示のいくつかの実施形態に係る、表示パネルの概略図を示している。
【図９】本開示のいくつかの実施形態に係る、表示パネルの概略図を示している。
【図１０】本開示のいくつかの実施形態に係る、表示パネルの概略図を示している。
【図１１】本開示のいくつかの実施形態に係る、表示パネルの概略図を示している。
【図１２】本開示のいくつかの実施形態に係る、表示パネルの概略図を示している。
【発明を実施するための形態】
【００１６】
本開示の電子表示装置は、以下の説明で詳述される。以下の発明を実施するための形態では、説明のために、多数の特定の詳細および実施形態が、本開示の完全な理解を提供するために明記されている。以下の発明を実施するための形態で説明された特定の構成要素および構造は、本開示を明瞭に説明するために記述されている。しかしながら、本明細書で記述される例示的な実施形態は、単に説明のために用いられることは明らかであり、発明の概念は、これらの例示的な実施形態に限定されることなく、種々の形態で実施することができる。また、異なる実施形態の図面では、本開示を明瞭に説明するために、類似の番号および／または対応の番号を用いて、類似の構成要素および／または対応の構成要素を示すことができる。しかしながら、異なる実施形態の図面では、類似の番号および／または対応の番号の使用は、異なる実施形態間の相関関係を示唆するものではない。また、この明細書では、例えば、「第２の材料層上／第２の材料層の上方に配置された第１の絶縁バンプ」などの表現は、第１の絶縁バンプおよび第２の材料層の直接接触だけを指すのではなく、第１の絶縁バンプと第２の材料層との間の１つ以上の中間層との非接触状態も指している。上述の状況では、第１の絶縁バンプは、第２の材料層に直接接触しなくてもよい。
【００１７】
本開示の図面の構成要素または装置は、当業者に公知のどんな形式または構成にも存在することができるということが留意されるべきである。また、「もう１つの層を覆う（ｏｖｅｒｌｙｉｎｇ）層」、「層はもう１つの層の上方（ａｂｏｖｅ）に配置される」、「層はもう１つの層上（ｏｎ）に配置される」、および「層はもう１つの層の上方（ｏｖｅｒ）に配置される」などの表現は、層がもう１つの層と直接接触することを指すだけでなく、層がもう１つの層とは直接接触せず、層ともう１つの層との間に配置された１つ以上の中間層があることも指すことができる。
【００１８】
また、本明細書では、関連する表現が用いられる。例えば、「より低い」、「底部」、「より高い」、または「上部」は、もう１つに対する１つの構成要素の位置を説明するのに用いられる。仮に装置が上下反転された場合、「より低い」側の構成要素は、「より高い」側の構成要素となる、ということが諒解されるべきである。
【００１９】
用語「約」および「大抵」は、一般的に、所定値の＋／−２０％を意味し、より一般的に、所定値の＋／−１０％を意味し、さらにより一般的に、所定値の＋／−５％を意味する。本開示の所定値は、近似値である。特定の説明がないとき、所定値は、「約」または「大抵」の意味を含む。
【００２０】
図１のラインＡ−Ａ’に沿った表示パネル１の２つの部分の断面図をそれぞれ示している図２Ａと図２Ｂを参照にしながら、図１を参照されたい。いくつかの実施形態に従って、表示パネル１は、第１の基板１０、第２の基板２０、表示層３０（図２）、駆動ユニット４０、および１つ以上のテストパッド５０を含む。表示パネル１の構成要素は、追加または省略されることができ、本開示は実施形態によって制限されるものではない。
【００２１】
表示パネル１は、液晶パネル、例えば、薄膜トランジスタパネルであることができる。代替的に、表示パネル１は、ねじれネマティック（ＴＮ）モードの液晶パネル、垂直配向（ＶＡ）モードの液晶パネル、インプレーンスイッチング（ＩＰＳ）モードの液晶パネル、フリンジフィールドスイッチング（ＦＦＳ）モードの液晶パネル、コレステリックモードの液晶パネル、ブルー層インプレーンスイッチング（ＩＰＳ）モードの液晶パネル、またはもう１つの好適な液晶パネルであることができる。表示パネル１は、有機発光ダイオード（ＯＬＥＤ）パネルであることができる。
【００２２】
いくつかの実施形態では、第２の基板２０は、距離によって第１の基板１０から離間され、第１の基板１０の一部の領域をカバーする。例えば、第１の基板１０は、表示領域１１、エッジ領域１２、および延伸領域１３を有する。第２の基板２０は、第１の基板１０の表示領域１１とエッジ領域１２をカバーし、延伸領域１３を露出する。また、図２に示されるように、第２の基板２０は、シール部材２５を介して第１の基板１０に接続され、第２の基板２０は、第１の基板１０と直接接続されていない。第１の基板１０は、薄膜トランジスタ（ＴＦＴ）基板であり、表示領域１１とエッジ領域１２に配置された多数の画素とスイッチング素子を含む。その他の駆動回路は、延伸領域１３に配置される。第２の基板２０は、カラーフィルター基板または透明カバー基板であることができ、電極パターン、ブラックマトリクス、またはカラーフィルター要素を有する。第２の基板２０は、タッチ機能を備えてもよい。
【００２３】
表示層３０は、第１の基板１０と第２の基板２０との間に配置される。表示層３０は、駆動ユニット４０からの電気信号に従って動作され、画像を表示する。表示層３０は、液晶またはＯＬＥＤを含むことができる。シール部材２５は、シール材またはフリットであることができ、表示層３０を囲み、第１の基板１０と第２の基板２０との間の間隙を保持するように構成されることができる。
【００２４】
図２Ａと図２Ｂのいくつかの実施形態では、第１の基板１０の表示領域１１は、第２の基板２０に形成されたブラックマトリクス２１によって画定される。ブラックマトリクス２１は、第２の基板２０の内表面２０６または外表面２０８上に形成されることができる。表示領域１１は、ブラックマトリクス２１の内縁部２１１によって囲まれた領域に配置される。いくつかの実施形態では、図１に示されるように、表示領域１１は、表示領域１１の略中心（幾何中心）に画定された中心Ｃ０を有する略円形を有することができる。エッジ領域１２は、表示領域１１の外側を完全に囲む。表示層３０を駆動するための駆動回路（例えば、ゲートドライバの部分要素、データドライバの部分要素、および導電線（図示されていない））は、第１の基板１０のエッジ領域１２に形成される。
【００２５】
延伸領域１３は、表示領域１１から離れる方向において、エッジ領域１２から延伸する。いくつかの実施形態では、表示領域１１、エッジ領域１２、および延伸領域１３は、主軸Ｍに沿って順次配置され、エッジ領域１２は、表示領域１１と延伸領域１３との間に配置される。エッジ領域１２と延伸領域１３の境界線１３１は、第１の基板１０の上方にある第２の基板２０の外縁部２０１の投影線によって画定される。図１に示された実施形態では、第２の基板２０は、円形を有するため、第２の基板２０の外縁部２０１によって画定された境界線１３１は、曲線であり、境界線は、曲率半径Ｒ０を有する。
【００２６】
留意すべきことは、図１の実施形態および以下の実施形態では、延伸領域１３とエッジ領域１２との間の境界線１３１は、点線によって示され、且つ明瞭にするために、第２の基板２０の外縁部２０１から意図的に分離されて描かれている。
【００２７】
図１では、延伸領域１３は、下縁部１３２を有する。下縁部１３２は、エッジ領域１２から離れた延伸領域１３の側方で、境界線１３１と反対側に配置される。いくつかの実施形態では、下縁部１３２は、表示領域１１の中心Ｃ０を通過する主軸Ｍに垂直な直線であり、駆動ユニット４０の組み立てを容易にする。駆動ユニット４０は、駆動チップ４３、回路基板４１、および駆動回路基板アセンブリ７を含む。駆動チップ４３は、延伸領域１３の駆動回路に直接接続されるか、または回路基板４１に接続されることができる。駆動チップ４３は、回路基板４１を介して駆動回路基板アセンブリ７に接続される。回路基板４１は、フレキシブルプリント回路基板（ＦＰＣ）またはチップオンフィルム（ＣＯＦ）パッケージであることができる。駆動回路基板アセンブリ７は、プリント回路基板アセンブリ（ＰＣＢＡ）であることができ、多数の能動素子または受動素子を含む。
【００２８】
延伸領域１３は、２つの側縁部１３３と１３４を更に含み、これらは、境界線１３１の両端と下縁部１３２の両端との間にそれぞれ接続される。いくつかの実施形態では、２つの側縁部１３３と１３４の各々は、曲線であり、主軸Ｍに向けて曲げられる。２つの側縁部１３３と１３４の曲率半径は、任意の設定値であることができる。いくつかの実施形態では、２つの側縁部１３３と１３４の曲率半径は、３ｍｍ以上であり、第１の基板１０の製造を容易にする。例えば、図１に示された実施形態では、側縁部１３３の曲率中心Ｃ１と側縁部１３３そのものは、主軸Ｍと同じ側に配置され、側縁部１３３は、曲率半径Ｒ１を有する。曲率半径Ｒ１は、３ｍｍ以上であることができる。側縁部１３３の曲率半径は、側縁部１３４の曲率半径と同じ、または異なることができる。いくつかの実施形態では、延伸領域１３は、主軸Ｍに対して対称であり、主軸Ｍは、境界線１３１の中心と下縁部１３２の中心を通過する。
【００２９】
側縁部１３３と境界線１３１の交差点Ｉ１と、主軸Ｍとの間の距離は、側縁部１３３と下縁部１３２の交差点Ｉ２と、主軸Ｍとの間の距離より大きい。側縁部１３４と境界線１３１の交差点Ｉ３と、主軸Ｍとの間の距離は、側縁部１３４と下縁部１３２の交差点Ｉ４と、主軸Ｍとの間の距離より大きい。また、主軸Ｍから離れた２つの反対方向に沿って、境界線１３１と下縁部１３２との間の距離は、漸増し、一定値ではない。
【００３０】
図３は、電子表示装置６に用いられる表示パネル１を示す概略図を示している。いくつかの実施形態では、電子表示装置６は、ハウジング６０と、ハウジング６０に配置された表示パネル１とを含む。ハウジング６０は、中央部分６０１、上部分６０２、および下部分６０３を有する。上部分６０２と下部分６０３は、中央部分６０１の上側と下側にそれぞれ配置され、ストラップ（ｓｔｒａｐ）６４、６６に接続される。透明表示窓６２は、中央部分６０１に形成され、視聴者に表示パネル１で表示される画像を見せることができる。表示パネル１は、ハウジング６０によって画定される空間に配置される。表示領域１１は、透明表示窓６２に直接面する。表示領域１１と透明表示窓６２の両方は、円形で相似の半径を有する。延伸領域１３は、下部分６０３に配置され、下部分６０３の形状に一致する形状を有する。
【００３１】
延伸領域１３は、透明表示窓６２の下方に配置されていないため、透明表示窓６２の全ての面積は、表示領域１１からの画像を表示するのに用いられることができる。また、下部分６０３には延伸領域１３を受ける十分な空間があるため、延伸領域１３の面積は、拡大されることができる。この結果、より多くのテストパッド５０が延伸領域１３に実装されることができ、表示パネル１にテストを行うことができる。また、全ての単一のテストパッド５０の面積も拡大されることができ、製造コストが削減される。
【００３２】
表示領域１１の延伸領域の特徴は、それを用いている最終製品の外観に従って変更されることができる。異なる例示的な表示パネル１を示す多数の実施形態は、以下の説明に示される。
【００３３】
図４を参照すると、いくつかの実施形態では、延伸領域１３ａは、表示領域１１から離れる方向において、エッジ領域１２から離れて延伸している。表示領域１１、エッジ領域１２、および延伸領域１３ａは、主軸Ｍに沿って順次配置され、エッジ領域１２は、表示領域１１と延伸領域１３ａとの間に配置される。エッジ領域１２と延伸領域１３ａの境界線１３１ａは、第１の基板１０ａの上方にある第２の基板２０の外縁部２０１の投影線によって画定される。図４に示された実施形態では、境界線１３１ａは、曲率半径Ｒ０を有する曲線である。
【００３４】
延伸領域１３ａは、下縁部１３２ａを有する。下縁部１３２ａは、エッジ領域１２から離れた延伸領域１３ａの側方で、境界線１３１ａと反対側に配置される。いくつかの実施形態では、下縁部１３２ａは、表示領域１１の中心Ｃ０を通過する主軸Ｍに垂直な直線である。
【００３５】
延伸領域１３ａは、２つの側縁部１３３ａと１３４ａを含み、これらは、境界線１３１ａの両端と下縁部１３２ａの両端との間にそれぞれ接続される。いくつかの実施形態では、２つの側縁部１３３ａと１３４ａの各々は、曲線であり、主軸Ｍから離れて曲げられる。各側縁部１３３ａと１３４ａの曲率半径は、第２の基板２０の曲率半径Ｒ０より大きく、第１の基板１０ａの製造を容易にする。例えば、側縁部１３３ａの曲率中心Ｃ２と側縁部１３３ａそのものは、主軸Ｍと同じ側に配置され、側縁部１３３ａは、曲率半径Ｒ２を有する。曲率半径Ｒ２は、第２の基板２０の曲率半径Ｒ０（即ち、表示領域１１の中心Ｃ０と、境界線１３１ａと側縁部１３３ａの交差点Ｉ１との間の距離）より大きい。側縁部１３３ａの曲率半径は、側縁部１３４ａの曲率半径と同じ、または異なることができる。いくつかの実施形態では、延伸領域１３ａは、主軸Ｍに対して対称であり、主軸Ｍは、境界線１３１ａの中心と下縁部１３２ａの中心を通過する。
【００３６】
側縁部１３３ａと境界線１３１ａの交差点Ｉ１と、主軸Ｍとの間の距離は、側縁部１３３ａと下縁部１３２ａの交差点Ｉ２と、主軸Ｍとの間の距離より大きい。側縁部１３４ａと境界線１３１ａの交差点Ｉ３と、主軸Ｍとの間の距離は、側縁部１３４ａと下縁部１３２ａの交差点Ｉ４と、主軸Ｍとの間の距離より大きい。境界線１３１ａに沿った交差点Ｉ１から交差点Ｉ３への距離は、下縁部１３２ａに沿った交差点Ｉ２から交差点Ｉ４への距離より大きい。また、主軸Ｍから離れた２つの反対方向に沿って、境界線１３１ａと下縁部１３２ａとの間の距離は、漸増し、一定値ではない。
【００３７】
図５を参照すると、延伸領域１３ｂは、表示領域１１から離れる方向において、エッジ領域１２から離れて延伸している。表示領域１１、エッジ領域１２、および延伸領域１３ｂは、主軸Ｍに沿って順次配置され、エッジ領域１２は、表示領域１１と延伸領域１３ｂとの間に配置される。エッジ領域１２と延伸領域１３ｂの境界線１３１ｂは、第１の基板１０の上方で第２の基板２０の外縁部２０１の投影線によって画定される。図５に示された実施形態では、境界線１３１ｂは、曲率半径Ｒ０を有する曲線である。
【００３８】
延伸領域１３ｂは、下縁部１３２ｂを有する。下縁部１３２ｂは、エッジ領域１２から離れた延伸領域１３ｂの側方で、境界線１３１ｂと反対側に配置される。いくつかの実施形態では、下縁部１３２ｂは、表示領域１１の中心Ｃ０を通過する主軸Ｍに垂直な直線である。延伸領域１３ｂは、２つの側縁部１３３ｂと１３４ｂを更に含み、これらは、境界線１３１ｂの両端と下縁部１３２ｂの両端との間にそれぞれ接続される。２つの側縁部１３３ｂと１３４ｂの各々は、直線である。側縁部１３３ｂの長さは、側縁部１３４ｂの長さと同じ、または異なることができる。いくつかの実施形態では、延伸領域１３ｂは、主軸Ｍに対して対称であり、主軸Ｍは、境界線１３１ｂの中心と下縁部１３２ｂの中心を通過する。
【００３９】
側縁部１３３ｂと境界線１３１ｂの交差点Ｉ１と、主軸Ｍとの間の距離は、側縁部１３３ｂと下縁部１３２ｂの交差点Ｉ２と、主軸Ｍとの間の距離より大きい。側縁部１３４ｂと境界線１３１ｂの交差点Ｉ３と、主軸Ｍとの間の距離は、側縁部１３４ｂと下縁部１３２ｂの交差点Ｉ４と、主軸Ｍとの間の距離より大きい。境界線１３１ｂに沿った交差点Ｉ１から交差点Ｉ３への距離は、下縁部１３２ｂに沿った交差点Ｉ２から交差点Ｉ４への距離より大きい。また、主軸Ｍから離れた２つの反対方向に沿って、境界線１３１ｂと下縁部１３２ｂとの間の距離は、漸増し、一定値ではない。
【００４０】
図６を参照すると、本開示のいくつかの実施形態に基づき、表示パネル１ｃは、第１の基板１０ｃ、第２の基板２０ｃ、表示層（図６に表示されていない）、駆動ユニット４０、または１つ以上のテストパッド５０を含む。表示パネル１ｃの構成要素は、追加または省略されることができ、本開示は実施形態によって制限されるものではない。第２の基板２０ｃは、距離によって第１の基板１０ｃから離間され、第１の基板１０ｃの一部の領域をカバーする。例えば、第１の基板１０ｃは、表示領域１１ｃ、エッジ領域１２ｃ、および延伸領域１３ｃを有する。第２の基板２０ｃは、第１の基板１０ｃの表示領域１１ｃとエッジ領域１２ｃをカバーし、延伸領域１３ｃを露出する。
【００４１】
いくつかの実施形態では、表示領域１１ｃは、表示領域１１ｃの略中心に画定された中心Ｃ０を有する略円形を有することができる。また、エッジ領域１２ｃは、表示領域１１ｃの外側を完全に囲む。表示層３０を駆動するための駆動回路（例えば、ゲートドライバの部分要素、データドライバの部分要素、および導電線（図示されていない））は、第１の基板１０ｃのエッジ領域１２ｃに形成される。
【００４２】
延伸領域１３ｃは、表示領域１１ｃから離れる方向において、エッジ領域１２ｃから離れて延伸する。表示領域１１ｃ、エッジ領域１２ｃ、および延伸領域１３ｃは、主軸Ｍに沿って順次配置され、エッジ領域１２ｃは、表示領域１１ｃと延伸領域１３ｃとの間に配置される。延伸領域１３ｃとエッジ領域１２ｃの境界線１３１ｃは、第１の基板１０ｃの上方で第２の基板２０ｃの外縁部２０１ｃの投影線によって画定される。例えば、図６に示された実施形態では、第２の基板２０ｃは、第１の外縁部２０１ｃと第２の外縁部２０２ｃを有する。第１の外縁部２０１ｃは、直線であり、第２の外縁部２０２ｃは、円の中心Ｃ０を中心とした曲線で、かつ、第１の外縁部２０１ｃの両端に接続する。境界線１３１ｃは、第１の外縁部２０１ｃによって画定されるため、境界線１３１ｃは、直線である。
【００４３】
延伸領域１３ｃは、下縁部１３２ｃを有する。下縁部１３２ｃはエッジ領域１２ｃから離れた延伸領域１３ｃの側方で、境界線１３１ｃと反対側に配置される。いくつかの実施形態では、下縁部１３２ｃは、表示領域１１ｃの中心Ｃ０を通過する主軸Ｍに垂直な直線である。
【００４４】
いくつかの実施形態では、延伸領域１３ｃは、２つの側縁部１３３ｃと１３４ｃを更に含み、これらは、境界線１３１ｃの両端と下縁部１３２ｃの両端との間にそれぞれ接続される。２つの側縁部１３３ｃと１３４ｃの各々は、曲線であり、主軸Ｍに向けて曲げられる。２つの側縁部１３３ｃと１３４ｃの曲率半径は、任意の値であることができる。いくつかの実施形態では、２つの側縁部１３３ｃと１３４ｃの曲率半径は、３ｍｍ以上であり、第１の基板１０ｃの製造を容易にする。側縁部１３３ｃの曲率半径は、側縁部１３４ｃの曲率半径と同じ、または異なることができる。いくつかの実施形態では、延伸領域１３ｃは、主軸Ｍに対して対称であり、主軸Ｍは、境界線１３１ｃの中心と下縁部１３２ｃの中心を通過する。
【００４５】
側縁部１３３ｃと境界線１３１ｃの交差点Ｉ１と、主軸Ｍとの間の距離は、側縁部１３３ｃと下縁部１３２ｃの交差点Ｉ２と、主軸Ｍとの間の距離より大きい。側縁部１３４ｃと境界線１３１ｃの交差点Ｉ３と、主軸Ｍとの間の距離は、側縁部１３４ｃと下縁部１３２ｃの交差点Ｉ４と、主軸Ｍとの間の距離より大きい。境界線１３１ｃに沿った交差点Ｉ１から交差点Ｉ３への距離は、下縁部１３２ｃに沿った交差点Ｉ２から交差点Ｉ４への距離より大きい。
【００４６】
図１の実施形態に比べ、表示領域１１ｃの所定の面積において、延伸領域１３ｃは、延伸領域１３よりも表示領域１１ｃの中心Ｃ０に近い。従って、主軸Ｍに沿った表示パネル１ｃの長さは、主軸に沿った表示パネル１の長さより短い。従って、表示パネル１ｃを用いた最終製品のサイズは、減少されることができる。
【００４７】
図７Ａおよび図７Ｂを参照すると、図７Ｂは、図７ＡのＥ領域の拡大図を示している。いくつかの実施形態では、延伸領域１３ｄは、表示領域１１ｃから離れる方向において、エッジ領域１２ｃから離れて延伸する。表示領域１１ｃ、エッジ領域１２ｃ、および延伸領域１３ｄは、主軸Ｍに沿って順次配置される。延伸領域１３ｄとエッジ領域１２ｃの境界線１３１ｄは、第１の基板１０ｄの上方にある第２の基板２０ｃの外縁部２０１ｃの投影線によって画定される。従って、境界線１３１ｄは、直線である。図７Ａに示された実施形態では、境界線１３１ｄの長さは、第１の外縁部２０１ｃの長さより短い。
【００４８】
延伸領域１３ｄは、下縁部１３２ｄを有する。下縁部１３２ｄは、エッジ領域１２ｃから離れた延伸領域１３ｄの側方で、境界線１３１ｄと反対側に配置される。いくつかの実施形態では、下縁部１３２ｄは、表示領域１１ｃの中心Ｃ０を通過する主軸Ｍに垂直な直線である。
【００４９】
延伸領域１３ｄは、２つの側縁部１３３ｄと１３４ｄを更に含み、これらは、境界線１３１ｄの両端と下縁部１３２ｄの両端との間にそれぞれ接続される。いくつかの実施形態では、図７Ｂに示されるように、側縁部１３４ｄは、第１の部分１３４１ｄと第２の部分１３４２ｄを含む。第１の部分１３４１ｄは、下縁部１３２ｄに垂直に接続された直線である。第２の部分１３４２ｄは、第1の部分１３４１ｄから境界線１３１ｄに接続する曲線である。第２の部分１３４２ｄは、主軸Ｍに向けて曲げられる。第２の部分１３４２ｄの曲率半径は、任意の設定値であることができる。いくつかの実施形態では、第２の部分１３４２ｄの曲率半径は、３ｍｍ以上であり、第１の基板１０ｄの製造を容易にする。例えば、第２の部分１３４２ｄの曲率中心Ｃ３と側縁部１３３ｄそのものは、主軸Ｍと同じ側に配置され、側縁部１３３ｄは、曲率半径Ｒ３を有する。曲率半径Ｒ３は、３ｍｍ以上である。側縁部１３３ｄの構造は、側縁部１３４ｄの構造と同じ、または異なることができる。いくつかの実施形態では、延伸領域１３ｄは、主軸Ｍに対して対称であり、主軸Ｍは、境界線の中心と下縁部１３２ｄの中心を通過する。
【００５０】
側縁部１３３ｄと境界線１３１ｄの交差点Ｉ１と、主軸Ｍとの間の距離は、側縁部１３３ｄと下縁部１３２ｄの交差点Ｉ２と、主軸Ｍとの間の距離より大きい。側縁部１３４ｄと境界線１３１ｄの交差点Ｉ３と、主軸Ｍとの間の距離は、側縁部１３４ｄと下縁部１３２ｄの交差点Ｉ４と、主軸Ｍとの間の距離より大きい。境界線１３１ｄに沿った交差点Ｉ１から交差点Ｉ３への距離は、下縁部１３２ｄに沿った交差点Ｉ２から交差点Ｉ４への距離より大きい。
【００５１】
図８を参照すると、いくつかの実施形態では、延伸領域１３ｅは、表示領域１１ｃから離れる方向において、エッジ領域１２ｃから離れて延伸する。表示領域１１ｃ、エッジ領域１２ｃ、および延伸領域１３ｅは、主軸Ｍに沿って順次配置される。延伸領域１３ｅとエッジ領域１２ｃの境界線１３１ｅは、第１の基板１０ｅの上方で第２の基板２０ｃの外縁部２０１ｃと２０２ｃの投影線によって画定される。
【００５２】
図８の実施形態では、境界線１３１ｅは、順次接続された第１の部分１３１ｅ１、第２の部分１３１ｅ２、および第３の部分１３１ｅ３を含む。第２の部分１３１ｅ２は、第２の基板２０ｃの第１の外縁部２０１ｃと一致する直線である。第２の部分１３１ｅ２は、表示領域１１ｃの中心Ｃ０を通過する主軸Ｍに垂直である。第１の部分１３１ｅ１と第３の部分１３１ｅ３のそれぞれは、第２の基板２０ｃの第２の外縁部２０２ｃの一部によって画定される。従って、第１の部分１３１ｅ１と第３の部分１３１ｅ３は、曲線である。第１の部分１３１ｅ１と第３の部分１３１ｅ３は、第２の部分１３１ｅ２の両側にそれぞれ接続され、曲率半径Ｒ０を有する。
【００５３】
延伸領域１３ｅは、下縁部１３２ｅを有する。下縁部１３２ｅは、エッジ領域１２ｃから離れた延伸領域１３ｅの側方で、境界線１３１ｅと反対側に配置される。いくつかの実施形態では、下縁部１３２ｅは、表示領域１１ｃの中心Ｃ０を通過する主軸Ｍに垂直な直線である。
【００５４】
延伸領域１３ｅは、２つの側縁部１３３ｅと１３４ｅを更に含み、これらは、境界線１３１ｅの両端と下縁部１３２ｅの両端との間にそれぞれ接続される。いくつかの実施形態では、２つの側縁部１３３ｅと１３４ｅの各々は、曲線であり、主軸Ｍから離れて曲げられる。各側縁部１３３ｅと１３４ｅの曲率半径は、第２の基板２０ｃの曲率半径Ｒ０より大きく、第１の基板１０ｅの製造を容易にする。側縁部１３３ｅの曲率半径は、側縁部１３４ｅの曲率半径と同じ、または異なることができる。いくつかの実施形態では、延伸領域１３ｅは、主軸Ｍに対して対称であり、主軸Ｍは、境界線１３１ｅの中心と下縁部１３２ｅの中心を通過する。
【００５５】
側縁部１３３ｅと境界線１３１ｅの交差点Ｉ１と、主軸Ｍとの間の距離は、側縁部１３３ｅと下縁部１３２ｅの交差点Ｉ２と、主軸Ｍとの間の距離より大きい。側縁部１３４ｅと境界線１３１ｅの交差点Ｉ３と、主軸Ｍとの間の距離は、側縁部１３４ｅと下縁部１３２ｅの交差点Ｉ４と、主軸Ｍとの間の距離より大きい。境界線１３１ｅに沿った交差点Ｉ１から交差点Ｉ３への距離は、下縁部１３２ｅに沿った交差点Ｉ２から交差点Ｉ４の距離より大きい。また、主軸Ｍから離れた２つの反対方向に沿って、境界線１３１ｅと下縁部１３２ｅとの間の距離は、漸増し、一定値ではない。
【００５６】
図９を参照すると、延伸領域１３ｆは、表示領域１１ｃから離れる方向において、エッジ領域１２ｃから離れて延伸している。表示領域１１ｃ、エッジ領域１２ｃ、および延伸領域１３ｆは、主軸Ｍに沿って順次配置され、エッジ領域１２ｃは、表示領域１１ｃと延伸領域１３ｆとの間に配置される。エッジ領域１２ｃと延伸領域１３ｆの境界線１３１ｆは、第１の基板１０ｆの上方で第２の基板２０ｃの外縁部２０１ｃの投影線によって画定される。従って、境界線１３１ｆは、直線である。
【００５７】
延伸領域１３ｆは、下縁部１３２ｆを有する。下縁部１３２ｆは、エッジ領域１２ｃから離れた延伸領域１３ｆの側方で、境界線１３１ｆと反対側に配置される。いくつかの実施形態では、下縁部１３２ｆは、表示領域１１ｃの中心Ｃ０を通過する主軸Ｍに垂直な直線である。延伸領域１３ｆは、２つの側縁部１３３ｆと１３４ｆを更に含み、これらは、境界線１３１ｆの両端と下縁部１３２ｆの両端との間にそれぞれ接続される。２つの側縁部１３３ｆと１３４ｆの各々は、直線である。側縁部１３３ｆの長さは、側縁部１３４ｆの長さと同じ、または異なることができる。いくつかの実施形態では、延伸領域１３ｆは、主軸Ｍに対して対称であり、主軸Ｍは、境界線１３１ｆの中心と下縁部１３２ｆの中心を通過する。
【００５８】
側縁部１３３ｆと境界線１３１ｆの交差点Ｉ１と、主軸Ｍとの間の距離は、側縁部１３３ｆと下縁部１３２ｆの交差点Ｉ２と、主軸Ｍとの間の距離より大きい。側縁部１３４ｆと境界線１３１ｆの交差点Ｉ３と、主軸Ｍとの間の距離は、側縁部１３４ｆと下縁部１３２ｆの交差点Ｉ４と、主軸Ｍとの間の距離より大きい。境界線１３１ｆに沿った交差点Ｉ１から交差点Ｉ３への距離は、下縁部１３２ｆに沿った交差点Ｉ２から交差点Ｉ４への距離より大きい。
【００５９】
図１０を参照すると、本開示のいくつかの実施形態に基づき、表示パネル１ｇは、第１の基板１０ｇ、第２の基板２０ｇ、表示層（図１０に表示されていない）、駆動ユニット４０、１つ以上のテストパッド５０を含む。表示パネル１ｇの構成要素は、追加または省略されることができ、本開示は実施形態によって制限されるものではない。第２の基板２０ｇは、距離によって第１の基板１０ｇから離間され、第１の基板１０ｇの一部の領域をカバーする。例えば、第１の基板１０ｇは、表示領域１１ｇ、エッジ領域１２ｇ、および延伸領域１３ｇを有する。第２の基板２０ｇは、第１の基板１０ｇの表示領域１１ｇとエッジ領域１２ｇをカバーし、延伸領域１３ｇを露出する。
【００６０】
いくつかの実施形態では、表示領域１１ｇは、表示領域１１ｇの略中心に画定された中心Ｃ０を有する略円形を有することができる。また、エッジ領域１２ｇは、表示領域１１ｇの外側を完全に囲む。表示層を駆動するための駆動回路（例えば、ゲートドライバの部分要素、データドライバの部分要素、および導電線（図示されていない））は、第１の基板１０ｇのエッジ領域１２ｇに形成される。
【００６１】
延伸領域１３ｇは、表示領域１１ｇから離れる方向において、エッジ領域１２ｇから離れて延伸する。表示領域１１ｇ、エッジ領域１２ｇ、および延伸領域１３ｇは、主軸Ｍに沿って順次配置される。図１０に示された実施形態では、第２の基板２０ｇは、第１の外縁部２０１ｇ、第２の外縁部２０２ｇ、第３の外縁部２０３ｇ、および第４の外縁部２０４ｇを有する。第１の外縁部２０１ｇは、主軸Ｍに垂直な直線である。第２の外縁部の２０２ｇと第３の外縁部２０３ｇは直線であり、第１の外縁部２０１ｇの両端にそれぞれ接続される。夾角は、第１の外縁部２０１ｇと第２の外縁部の２０２ｇおよび第３の外縁部２０３ｇの各々との間に形成される。第４の外縁部２０４ｇは、円の中心Ｃ０を中心とした曲線であり、かつ、第２の外縁部２０２ｇと第３の外縁部２０３ｇに接続する。
【００６２】
延伸領域１３ｇとエッジ領域１２ｇの境界線１３１ｇは、第１の外縁部２０１ｇ、第２の外縁部２０２ｇ、および第３の外縁部２０３ｇの投影線によって画定される。従って、境界線１３１ｇは、順次接続された第１の部分１３１ｇ１、第２の部分１３１ｇ２、および第３の部分１３１ｇ３を含む。第１の部分１３１ｇ１、第２の部分１３１ｇ２、および第３の部分１３１ｇ３の各々は、直線である。第１の部分１３１ｇ１は、第１の外縁部２０１ｇと一致し、第２の部分１３１ｇ２は、第２の外縁部２０２ｇと一致し、第３の部分１３１ｇ３は、第３の外縁部２０３ｇと一致する。
【００６３】
延伸領域１３ｇは、下縁部１３２ｇを有する。下縁部１３２ｇは、エッジ領域１２ｇから離れた延伸領域１３ｇの側方で、境界線１３１ｇと反対側に配置される。いくつかの実施形態では、下縁部１３２ｇは、表示領域１１ｇの中心Ｃ０を通過する主軸Ｍに垂直な直線である。
【００６４】
いくつかの実施形態では、延伸領域１３ｇは、２つの側縁部１３３ｇと１３４ｇを更に含み、これらは、境界線１３１ｇの両端と下縁部１３２ｇの両端との間にそれぞれ接続される。２つの側縁部１３３ｇと１３４ｇの各々は、曲線であり、主軸Ｍに向けて曲げられる。２つの側縁部１３３ｇと１３４ｇの曲率半径は、任意の値であることができる。いくつかの実施形態では、２つの側縁部１３３ｇと１３４ｇの曲率半径は、３ｍｍ以上であり、第１の基板１０ｇの製造を容易にする。側縁部１３３ｇの曲率半径は、側縁部１３４ｇの曲率半径と同じ、または異なることができる。いくつかの実施形態では、延伸領域１３ｇは、主軸Ｍに対して対称であり、主軸Ｍは、境界線１３１ｇの中心と下縁部１３２ｇの中心を通過する。
【００６５】
側縁部１３３ｇと境界線１３１ｇの交差点Ｉ１と、主軸Ｍとの間の距離は、側縁部１３３ｇと下縁部１３２ｇの交差点Ｉ２と、主軸Ｍとの間の距離より大きい。側縁部１３４ｇと境界線１３１ｇの交差点Ｉ３と、主軸Ｍとの間の距離は、側縁部１３４ｇと下縁部１３２ｇの交差点Ｉ４と、主軸Ｍとの間の距離より大きい。境界線１３１ｇに沿った交差点Ｉ１から交差点Ｉ３への距離は、下縁部１３２ｇに沿った交差点Ｉ２から交差点Ｉ４への距離より大きい。また、主軸Ｍから離れた２つの反対方向に沿って、境界線１３１ｇと下縁部１３２ｇとの間の距離は、漸増し、一定値ではない。
【００６６】
図１の実施形態に比べ、表示領域１１ｇの所定の面積において、延伸領域１３ｇは、延伸領域１３よりも表示領域１１ｇの中心Ｃ０に近い。従って、主軸Ｍに沿った表示パネル１ｇの長さは、主軸Ｍに沿った表示パネル１の長さより短い。従って、表示パネル１ｇを用いた最終製品のサイズは、減少されることができる。
【００６７】
図１１を参照すると、いくつかの実施形態では、延伸領域１３ｈは、表示領域１１ｇから離れる方向において、エッジ領域１２ｇから離れて延伸する。表示領域１１ｇ、エッジ領域１２ｇ、および延伸領域１３ｈは、主軸Ｍに沿って順次配置される。延伸領域１３ｈとエッジ領域１２ｇの境界線１３１ｈは、第１の外縁部２０１ｇ、第２の外縁部２０２ｇ、および第３の外縁部２０３ｇの投影線によって画定される。従って、境界線１３１ｈは、順次接続された第１の部分１３１ｈ１、第２の部分１３１ｈ２、および第３の部分１３１ｈ３を含む。第１の部分１３１ｈ１、第２の部分１３１ｈ２、および第３の部分１３１ｈ３の各々は、直線である。第１の部分１３１ｈ１は、第１の外縁部２０１ｇと一致し、第２の部分１３１ｈ２は、第２の外縁部２０２ｇと一致し、第３の部分１３１ｈ３は、第３の外縁部２０３ｇと一致する。
【００６８】
延伸領域１３ｈは、下縁部１３２ｈを有する。下縁部１３２ｈは、エッジ領域１２ｇから離れた延伸領域１３ｈの側方で、境界線１３１ｈと反対側に配置される。いくつかの実施形態では、下縁部１３２ｈは、表示領域１１ｇの中心Ｃ０を通過する主軸Ｍに垂直な直線である。延伸領域１３ｈは、２つの側縁部１３３ｈと１３４ｈを更に含み、これらは、境界線１３１ｈの両端と下縁部１３２ｈの両端との間にそれぞれ接続される。２つの側縁部１３３ｈと１３４ｈの各々は、直線である。側縁部１３３ｈの長さは、側縁部１３４ｈの長さと同じ、または異なることができる。いくつかの実施形態では、延伸領域１３ｈは、主軸Ｍに対して対称であり、主軸Ｍは、境界線１３１ｈの中心と下縁部１３２ｈの中心を通過する。
【００６９】
側縁部１３３ｈと境界線１３１ｈの交差点Ｉ１と、主軸Ｍとの間の距離は、側縁部１３３ｈと下縁部１３２ｈの交差点Ｉ２と、主軸Ｍとの間の距離より大きい。側縁部１３４ｈと境界線１３１ｈの交差点Ｉ３と、主軸Ｍとの間の距離は、側縁部１３４ｈと下縁部１３２ｈの交差点Ｉ４と、主軸Ｍとの間の距離より大きい。境界線１３１ｈに沿った交差点Ｉ１から交差点Ｉ３への距離は、下縁部１３２ｈに沿った交差点Ｉ２から交差点Ｉ４への距離より大きい。また、主軸Ｍから離れた２つの反対方向に沿って、境界線１３１ｈと下縁部１３２ｈとの間の距離は、漸増し、一定値ではない。
【００７０】
図１２を参照すると、いくつかの実施形態では、延伸領域１３ｉは、表示領域１１ｇから離れる方向において、エッジ領域１２ｇから離れて延伸する。表示領域１１ｇ、エッジ領域１２ｇ、および延伸領域１３ｉは、主軸Ｍに沿って順次配置され、エッジ領域１２ｇは、表示領域１１ｇと延伸領域１３ｉとの間に配置される。延伸領域１３ｉとエッジ領域１２ｇの境界線１３１ｉは、第１の外縁部２０１ｇ、第２の外縁部２０２ｇ、および第３の外縁部２０３ｇの投影線によって画定される。従って、境界線１３１ｉは、順次接続された第１の部分１３１ｉ１、第２の部分１３１ｉ２、および第３の部分１３１ｉ３を含む。第１の部分１３１ｉ１、第２の部分１３１ｉ２、および第３の部分１３１ｉ３の各々は、直線である。第１の部分１３１ｉ１は、第１の外縁部２０１ｇと一致し、第２の部分１３１ｉ２は、第２の外縁部２０２ｇと一致し、第３の部分１３１ｉ３は、第３の外縁部２０３ｇと一致する。
【００７１】
延伸領域１３ｉは、下縁部１３２ｉを有する。下縁部１３２ｉは、エッジ領域１２ｇから離れた延伸領域１３ｉの側方で、境界線１３１ｉと反対側に配置される。いくつかの実施形態では、下縁部１３２ｉは、表示領域１１ｇの中心Ｃ０を通過する主軸Ｍに垂直な直線である。
【００７２】
いくつかの実施形態では、延伸領域１３ｉは、２つの側縁部１３３ｉと１３４ｉを更に含み、これらは、境界線１３１ｉの両端と下縁部１３２ｉの両端との間にそれぞれ接続される。２つの側縁部１３３ｉと１３４ｉの各々は、曲線であり、主軸Ｍに向けて曲げられる。２つの側縁部１３３ｉと１３４ｉの曲率半径は、任意の値であることができる。いくつかの実施形態では、２つの側縁部１３３ｉと１３４ｉの曲率半径は、３ｍｍ以上であり、第１の基板１０ｉの製造を容易にする。側縁部１３３ｉの曲率半径は、側縁部１３４ｉの曲率半径と同じ、または異なることができる。いくつかの実施形態では、延伸領域１３ｉは、主軸Ｍに対して対称であり、主軸Ｍは、境界線１３１ｉの中心と下縁部１３２ｉの中心を通過する。
【００７３】
側縁部１３３ｉと境界線１３１ｉの交差点Ｉ１と、主軸Ｍとの間の距離は、側縁部１３３ｉと下縁部１３２ｉの交差点Ｉ２と、主軸Ｍとの間の距離より大きい。側縁部１３４ｉと境界線１３１ｉの交差点Ｉ３と、主軸Ｍとの間の距離は、側縁部１３４ｉと下縁部１３２ｉの交差点Ｉ４と、主軸Ｍとの間の距離より大きい。境界線１３１ｉに沿った交差点Ｉ１から交差点Ｉ３までの距離は、下縁部１３２ｉに沿った交差点Ｉ２から交差点Ｉ４までの距離より大きい。また、主軸Ｍから離れた２つの反対方向に沿って、境界線１３１ｉと下縁部１３２ｉとの間の距離は、漸増し、一定値ではない。
【００７４】
本開示及びそれらの利点の一部の実施形態が詳細に説明されてきたが、添付の請求の範囲によって定義されるように、本開示の精神および範囲を逸脱せずに、本明細書において種々の変更、代替、および改変をすることができることを理解すべきである。例えば、本明細書で述べられる特徴、機能、プロセス、および材料の多くが本開示の範囲を逸脱することなく変更できることが当業者にとっては容易に理解されるだろう。また、本出願の範囲は、本明細書中に述べられたプロセス、機械、製造、物質の組成、手段、方法、及びステップの特定の実施形態に限定されることを意図するものではない。当業者が本開示の開示から容易に諒解するように、本明細書で述べられた対応する実施形態と、実質的に同様の機能を実行するか、または実質的に同様の結果を達成する、現存の、または後に開発される、開示、プロセス、機械、製造、物質の組成、手段、方法、またはステップが、本開示に従って利用され得る。よって、添付の特許請求の範囲は、上述のプロセス、機械、製造、物質の組成、手段、方法、またはステップを含むように意図される。
【符号の説明】
【００７５】
１、１ａ〜１ｉ  表示パネル
１０、１０ａ〜１０ｉ  第１の基板
１１、１１ｃ、１１ｇ  表示領域
１２、１２ｃ、１２ｇ  エッジ領域
１３、１３ａ〜１３ｉ  延伸領域
１３１、１３１ａ〜１３１ｉ  境界線
１３１ｇ１、１３１ｈ１、１３１ｉ１  第１の部分
１３１ｇ２、１３１ｈ２、１３１ｉ２  第２の部分
１３１ｇ３、１３１ｈ３、１３１ｉ３  第３の部分
１３２、１３２ａ〜１３２ｉ  下縁部
１３３、１３３ａ〜１３３ｉ  側縁部
１３４、１３４ａ〜１３４ｉ  側縁部
１３４１ｄ  第１の部分
１３４２ｄ  第２の部分
２０、２０ｃ、２０ｇ  第２の基板
２０１  外縁部
２０６  内表面
２０８  外表面
２１  ブラックマトリクス
２１１  内縁部
２５  シール部材
２０１ｃ  第１の外縁部
２０２ｃ、２０２ｇ  第２の外縁部
２０３ｇ  第３の外縁部
２０４ｇ  第４の外縁部
４０  駆動ユニット
４１  回路基板
４３  駆動チップ
５０  テストパッド
６  電子表示装置
６０  ハウジング
６２  透明表示窓
６４、６６  ストラップ
６０１  中央部分
６０２  上部分
６０３  下部分
７  駆動回路基板アセンブリ
Ｉ１、Ｉ２、Ｉ３、Ｉ４  交差点
Ｍ  主軸
Ｃ０  表示領域の中心
Ｃ１、Ｃ２、Ｃ３  曲率中心
Ｒ０  半径
Ｒ１、Ｒ２、Ｒ３  側縁部の曲率半径
【図１】
2016110090.tif 000003
【図２Ａ】
2016110090.tif 000004
【図２Ｂ】
2016110090.tif 000005
【図３】
2016110090.tif 000006
【図４】
2016110090.tif 000007
【図５】
2016110090.tif 000008
【図６】
2016110090.tif 000009
【図７Ａ】
2016110090.tif 000010
【図７Ｂ】
2016110090.tif 000011
【図８】
2016110090.tif 000012
【図９】
2016110090.tif 000013
【図１０】
2016110090.tif 000014
【図１１】
2016110090.tif 000015
【図１２】
2016110090.tif 000016